(57)【特許請求の範囲】
【請求項１】
信号伝送媒体の端末部が連結される第１コネクタと、主配線基板に接続された実装状態で前記第１コネクタが嵌合される第２コネクタと、を備えたものであって、
前記第１コネクタに回動可能に設けられた嵌合保持部材が、前記両コネクタの嵌合状態において嵌合開放位置から嵌合作用位置まで回動されることによって前記両コネクタの嵌合状態が維持されるように構成されているとともに、
前記第１コネクタの嵌合保持部材が、コネクタ長手方向の両端部に設けられた回動軸受け部から延出する一対の連結腕部と、それらの両連結腕部どうしを繋ぐ回動操作部と、を有する電気コネクタ組立体において、
前記第１コネクタにおける前記嵌合保持部材の回動操作部に、前記両コネクタの嵌合状態において当該嵌合保持部材が前記嵌合作用位置まで回動されたときに前記第２コネクタと前記主配線基板との接続部位を覆う導電性カバー部が設けられているとともに、
前記第１コネクタの回動軸受け部には、前記嵌合保持部材を前記嵌合開放位置及び嵌合作用位置に保持するように付勢するバネ規制部材が設けられ、かつ
前記第２コネクタに、前記嵌合作用位置まで回動された前記第１コネクタの嵌合保持部材の連結腕部が嵌合するロック部 が設けられていることを特徴とする電気コネクタ組立体。
【請求項２】
主配線基板に接続されることにより実装される相手コネクタに対して、信号伝送媒体の端末部が連結された状態で嵌合されるものであって、
前記相手コネクタとの嵌合状態において嵌合保持部材が嵌合開放位置から嵌合作用位置まで回動されることによって前記相手コネクタとの嵌合状態が維持されるように構成されているとともに、
前記嵌合保持部材が、コネクタ長手方向の両端部に設けられた回動軸受け部から延出する一対の連結腕部と、それらの両連結腕部どうしを繋ぐ回動操作部と、を有する電気コネクタにおいて、
前記嵌合保持部材の前記回動操作部には、前記相手コネクタとの嵌合状態において当該嵌合保持部材が前記嵌合作用位置まで回動されたときに前記相手コネクタと前記主配線基板との接続部位を覆う導電性カバー部が設けられているとともに、
前記回動軸受け部には、前記嵌合保持部材を前記嵌合開放位置及び嵌合作用位置に保持するように付勢するバネ規制部材が設けられ、かつ
前記相手コネクタに、前記嵌合作用位置まで回動された前記嵌合保持部材の連結腕部が嵌合されるロック部 が設けられていることを特徴とする電気コネクタ。
【請求項３】
主配線基板に接続されることにより実装される相手コネクタに対して、信号伝送媒体の端末部が連結された状態で嵌合され、その相手コネクタに嵌合された状態で嵌合保持部材が嵌合開放位置から嵌合作用位置まで回動されることによって前記相手コネクタとの嵌合状態が維持されるように構成されているとともに、
前記嵌合保持部材が、コネクタ長手方向の両端部に設けられた回動軸受け部から延出する一対の連結腕部と、それらの両連結腕部どうしを繋ぐ回動操作部と、を有するものであって、
前記相手コネクタとの嵌合時に前記相手コネクタの導電コンタクトに接触する接点部を有する導電コンタクトが設けられた電気コネクタにおいて、
前記嵌合保持部材の前記回動操作部には、前記相手コネクタに嵌合されていない状態において当該嵌合保持部材が前記嵌合作用位置まで回動されたときに、少なくとも前記導電コンタクトの接点部を覆う導電性カバー部が設けられているとともに、
前記回動軸受け部には、前記嵌合保持部材を前記嵌合開放位置及び嵌合作用位置に保持するように付勢するバネ規制部材が設けられ、かつ
前記相手コネクタに、前記嵌合作用位置まで回動された前記嵌合保持部材の連結腕部が嵌合されるロック部 が設けられていることを特徴とする電気コネクタ。
【請求項４】
前記導電性カバー部は、前記嵌合保持部材が前記嵌合作用位置まで回動されたときに、コネクタ上面及びコネクタ両側面を覆うように構成されていることを特徴とする請求項１記載の電気コネクタ組立体、又は請求項２及び３のいずれかに記載された電気コネクタ。
【発明の詳細な説明】
【技術分野】
【０００１】
本発明は、適宜の信号伝送媒体を主配線基板に電気接続するための嵌合構造を備えた電気コネクタ及び電気コネクタ組立体に関する。
【背景技術】
【０００２】
一般に各種電気機器等において、ＦＰＣ（フレキシブル・プリンテッド・サーキット）や、ＦＦＣ（フレキシブル・フラット・ケーブル）、或いは同軸ケーブル等からなる信号伝送媒体の端末部分を主印刷配線基板に接続するにあたって電気コネクタが広く用いられている。その電気コネクタは、主印刷配線基板上に実装される第１コネクタ（リセプタクルコネクタ）に対して、同軸ケーブル等の信号伝送媒体が連結された第２コネクタ（プラグコネクタ）が挿入されるようにして両コネクタどうしの嵌合が行われる構成になされており、本体ハウジングの内部に多極状に配列された導電コンタクト（導電端子）を通して信号の伝送が行われるようになっている。
【０００３】
このような電気コネクタでは、伝送信号に対する外部からの電磁波ノイズの影響を低減し、或いは外部に向かって放射される電磁波ノイズを低減するために、本体ハウジングの外表面を金属薄板状の導電性シェルで覆って電磁遮蔽（シールド）を行うようにした構成が従来から採用されている。
【０００４】
しかしながら、従来の電気コネクタでは、本体ハウジングの外表面が導電性シェルで覆われているのみの構成になされており、上述した導電コンタクト（導電端子）の端末部、より具体的には主配線基板との接続部位が、導電性シェルで覆われることなく外方に露出した状態になされている。そのため、特に近年のように伝送信号が高周波化されてくるに伴って、主配線基板との接続部位が、外部からの電磁波ノイズの影響を無視できなくなりつつあるとともに、接続部位から電磁波ノイズを外部に放射してしまうおそれも増大しつつある。
【０００５】
なお、従来から導電コンタクトと主配線基板との接続部位に導電性のテープを貼り付けたり、導電性シェルを延長して当該部位を覆うようにしたものがあるが、導電性テープを用いる場合には、導電性テープを貼り付けるという比較的手間の掛かる作業工程が付加されるため生産性が低下する傾向となっている。また、導電性シェルを延長して覆う場合には、導電コンタクトと主配線基板との接続部位が目視や画像検査等での確認ができなくなって、接続が支障なく行われているか否かの検査・確認が難しくなるという問題がある。
【０００６】
また、従来の電気コネクタでは、多極状に配置された複数本の同軸ケーブルどうしをグランドバーで掛け渡すように接続し、そのグランドバーに導電性シェルの一部を半田接続することがあるが、そのように導電性シェルとグランドバーとを半田接続する際に、半田材を加熱することにより半田材に含まれるフラックスが急激に発泡して半田材やフラックスが飛散し、本来の接続部以外の部位、例えば導電コンタクトの接点部に付着して電気的な障害を発生させるおそれがある。
【先行技術文献】
【特許文献】
【０００７】
【特許文献１】特開２００７−７３４２６号公報
【発明の開示】
【発明が解決しようとする課題】
【０００８】
そこで本発明は、簡易な構成で、主配線基板との接続部位に関する電磁遮蔽を生産性を損なうことなく良好に行うことができるようにした電気コネクタ及び電気コネクタ組立体を提供することを目的とする。
【０００９】
また、本発明は、簡易な構成で、導電コンタクトの接点部に対する半田材等の異物の付着を良好に防止することができるようにした電気コネクタ及び電気コネクタ組立体を提供することを目的とする。
【課題を解決するための手段】
【００１０】
上記目的を達成するため本発明では、信号伝送媒体の端末部が連結される第１コネクタと、主配線基板に接続された実装状態で前記第１コネクタが嵌合される第２コネクタと、を備えたものであって、前記第１コネクタに回動可能に設けられた嵌合保持部材が、前記両コネクタの嵌合状態において嵌合開放位置から嵌合作用位置まで回動されることによって前記両コネクタの嵌合状態が維持されるように構成されているとともに、前記第１コネクタの嵌合保持部材が、コネクタ長手方向の両端部に設けられた回動軸受け部から延出する一対の連結腕部と、それらの両連結腕部どうしを繋ぐ回動操作部と、を有する電気コネクタ組立体において、前記第１コネクタにおける前記嵌合保持部材の回動操作部に、前記両コネクタの嵌合状態において当該嵌合保持部材が前記嵌合作用位置まで回動されたときに前記第２コネクタと前記主配線基板との接続部位を覆う導電性カバー部が設けられているとともに、前記第１コネクタの回動軸受け部には、前記嵌合保持部材を前記嵌合開放位置及び嵌合作用位置に保持するように付勢するバネ規制部材が設けられ、かつ前記第２コネクタに、前記嵌合作用位置まで回動された前記第１コネクタの嵌合保持部材の連結腕部が嵌合するロック部 が設けられた構成が採用されている。
【００１１】
このような構成を備えた本発明によれば、両コネクタの嵌合後に嵌合保持部材を嵌合開放位置から嵌合作用位置まで回動することによって、主配線基板との接続部位が導電性カバー部により覆われるため、両コネクタの嵌合時に嵌合保持部材を回動する作業と同時に、主配線基板との接続部位に対する電磁遮蔽（シールド）が直ちに行われることとなって、製造工程数を増大させることがない。また、嵌合保持部材を嵌合作用位置まで回動するまでは、主配線基板との接続部位が導電性カバー部により覆われることがないため、当該接続部位における接続状態が良好に確認される。
【００１２】
また、本発明では、主配線基板に接続されることにより実装される相手コネクタに対して、信号伝送媒体の端末部が連結された状態で嵌合されるものであって、前記相手コネクタとの嵌合状態において嵌合保持部材が嵌合開放位置から嵌合作用位置まで回動されることによって前記相手コネクタとの嵌合状態が維持されるように構成されているとともに、前記嵌合保持部材が、コネクタ長手方向の両端部に設けられた回動軸受け部から延出する一対の連結腕部と、それらの両連結腕部どうしを繋ぐ回動操作部と、を有する電気コネクタにおいて、前記嵌合保持部材の前記回動操作部には、前記相手コネクタとの嵌合状態において当該嵌合保持部材が前記嵌合作用位置まで回動されたときに前記相手コネクタと前記主配線基板との接続部位を覆う導電性カバー部が設けられているとともに、前記回動軸受け部には、前記嵌合保持部材を前記嵌合開放位置及び嵌合作用位置に保持するように付勢するバネ規制部材が設けられ、かつ前記相手コネクタに、前記嵌合作用位置まで回動された前記嵌合保持部材の連結腕部が嵌合されるロック部 が設けられた構成が採用されている。
【００１３】
このような構成を備えた本発明によれば、相手コネクタとの嵌合後に嵌合保持部材を嵌合開放位置から嵌合作用位置まで回動することによって、相手コネクタと主配線基板との接続部位が導電性カバー部により覆われるため、両コネクタの嵌合時に嵌合保持部材を回動する作業と同時に、主配線基板との接続部位に対する電磁遮蔽（シールド）が直ちに行われることとなって、製造工程数を増大させることがない。また、嵌合保持部材を嵌合作用位置まで回動するまでは、相手コネクタと主配線基板との接続部位が導電性カバー部により覆われることがないため、当該接続部位における接続状態が良好に確認される。
【００１４】
さらに本発明では、主配線基板に接続されることにより実装される相手コネクタに対して、信号伝送媒体の端末部が連結された状態で嵌合され、その相手コネクタに嵌合された状態で嵌合保持部材が嵌合開放位置から嵌合作用位置まで回動されることによって前記相手コネクタとの嵌合状態が維持されるように構成されているとともに、前記嵌合保持部材が、コネクタ長手方向の両端部に設けられた回動軸受け部から延出する一対の連結腕部と、それらの両連結腕部どうしを繋ぐ回動操作部と、を有するものであって、前記相手コネクタとの嵌合時に前記相手コネクタの導電コンタクトに接触する接点部を有する導電コンタクトが設けられた電気コネクタにおいて、前記嵌合保持部材の前記回動操作部には、前記相手コネクタに嵌合されていない状態において当該嵌合保持部材が前記嵌合作用位置まで回動されたときに、少なくとも前記導電コンタクトの接点部を覆う導電性カバー部が設けられているとともに、前記回動軸受け部には、前記嵌合保持部材を前記嵌合開放位置及び嵌合作用位置に保持するように付勢するバネ規制部材が設けられ、かつ前記相手コネクタに、前記嵌合作用位置まで回動された前記嵌合保持部材の連結腕部が嵌合されるロック部 が設けられた構成が採用されている。
【００１５】
このような構成を備えた本発明によれば、相手コネクタとの嵌合前に嵌合保持部材を嵌合作用位置まで回動することによって、相手コネクタに接続される導電コンタクトの接点部が導電性カバー部により覆われて保護された状態になされるため、当該接点部に対して半田材などの異物の付着が防止されることとなって、良好な電気接続が確保されるようになっている。
【００１７】
さらに本発明では、前記導電性カバー部は、前記嵌合保持部材が前記嵌合作用位置まで回動されたときに、コネクタ上面及びコネクタ両側面を覆うように構成されることが可能である。
【００１８】
このような構成を備えた本発明によれば、導電性カバー部によりコネクタ全体が覆われることとなって、良好な電磁遮蔽（シールド）機能が得られるとともに、拡大された導電性カバー部によって嵌合保持部材の剛性が高められる。
【発明の効果】
【００１９】
以上のように本発明は、嵌合開放位置から嵌合作用位置まで回動させてコネクタ嵌合状態を維持する嵌合保持部材に、相手コネクタとの嵌合状態に嵌合作用位置まで回動したときに相手コネクタと主配線基板との接続部位を覆う導電性カバー部を設けて、両コネクタの嵌合時に導電コンタクトと主配線基板との接続部位を覆って当該接続部位に対する電磁遮蔽（シールド）を直ちに行わせることによって製造工程数の増大をなくすとともに、嵌合保持部材を嵌合作用位置まで回動するまでは主配線基板との接続部位における接続状態が良好に確認される構成としたものであるから、簡易な構成で、主配線基板との接続部位に関する電磁遮蔽を生産性を損なうことなく良好に行うことができ、電気コネクタの信頼性を低廉かつ大幅に高めることができる。
【００２０】
また、本発明は、嵌合開放位置から嵌合作用位置まで回動させてコネクタ嵌合状態を維持する嵌合保持部材に、相手コネクタと非嵌合状態で当該嵌合保持部材を嵌合作用位置まで回動したときに導電コンタクトの接点部を覆う導電性カバー部を設けて、相手コネクタとの嵌合前に嵌合保持部材を嵌合作用位置まで回動することによって、相手コネクタに接続される導電コンタクトの接点部を導電性カバー部により覆って保護状態とし、当該接点部に対して半田材などの異物の付着を防止して良好な電気接続を確保するように構成したものであるから、簡易な構成で、導電コンタクトの接点部に対する半田材等の異物の付着を良好に防止し、電気コネクタの信頼性を低廉かつ大幅に高めることができる。
【図面の簡単な説明】
【００２１】
【図１】本発明の一実施形態にかかるプラグコネクタ（第１コネクタ）を、相手コネクタとしてのリセプタクルコネクタ（第２コネクタ）に嵌合する前の状態における電気コネクタ組立体を表した外観斜視説明図である。
【図２】図１の状態からプラグコネクタ（第１コネクタ）をリセプタクルコネクタ（第２コネクタ）に嵌合させた後の状態における電気コネクタ組立体を表した外観斜視説明図である。
【図３】図２の「嵌合開放位置」にある嵌合回動アーム（嵌合保持部材）を「嵌合作用位置」まで回動した後の状態における電気コネクタ組立体を表した外観斜視説明図である。
【図４】図１のプラグコネクタ（第１コネクタ）から上側の導電性シェルを取り外した状態の電気コネクタを表した外観斜視説明図である。
【図５】図３の状態におけるプラグコネクタ（第１コネクタ）のみを表した平面説明図である。
【図６】図５中のVI−VI線に沿った横断面説明図である。
【図７】図３中のVII−VII線に沿った横断面説明図である。
【図８】本発明の第２の実施形態にかかるプラグコネクタ（第１コネクタ）の構造を表した外観斜視説明図である。
【図９】図８の状態のプラグコネクタ（第１コネクタ）を、相手コネクタとしてのリセプタクルコネクタ（第２コネクタ）に嵌合させ、「嵌合開放位置」にある嵌合回動アーム（嵌合保持部材）を「嵌合作用位置」まで回動した後の状態における電気コネクタ組立体を表した外観斜視説明図である。
【図１０】図９中のX−X線に沿った横断面説明図である。
【発明を実施するための形態】
【００２２】
以下、複数本の同軸ケーブルを印刷配線基板側に接続する電気コネクタに本発明を適用した場合の実施形態に関する説明を図面に基づいて詳細に行う。
【００２３】
［電気コネクタ組立体の全体構造の概要］
まず、図１〜図７に表された本発明の第１の実施形態にかかる電気コネクタ組立体は、同軸ケーブルＳＣの端末部分が連結されたプラグコネクタ１と、主印刷配線基板Ｂ上に実装されるリセプタクルコネクタ２とからなる水平嵌合型電気コネクタを構成するものであって、第１コネクタとしてのプラグコネクタ１が、嵌合の相手である第２コネクタとしてのリセプタクルコネクタ２に対して略水平方向に対向配置され、その状態から主印刷配線基板Ｂの表面に沿って上記プラグコネクタ１が近接するように移動されることによって、図７のようにリセプタクルコネクタ２の開口内部にプラグコネクタ１の先端突部が差し込まれた状態となって、それら両コネクタ１，２どうしの嵌合が行われるようになっている。
【００２４】
このように本実施形態では、プラグコネクタ（第１コネクタ）１をリセプタクルコネクタ（第２コネクタ）２に差し込む方向、及びその反対方向に抜き出す方向が、主印刷配線基板Ｂの表面延在方向とほぼ一致しているが、以下において主印刷配線基板Ｂの表面が延在する方向を水平方向とし、その主印刷配線基板Ｂの表面に直交する方向を上下方向とする。また、プラグコネクタ１においては、当該プラグコネクタ１を相手コネクタとしてのリセプタクルコネクタ２に差し込む方向を前方向とし、その反対方向に抜き出す方向を後方向とする。さらに、相手コネクタであるリセプタクルコネクタ２においては、当該リセプタクルコネクタ２から上記プラグコネクタ１を抜き出す方向を前方向とし、その反対方向を後方向とする。
【００２５】
このような電気コネクタ組立体を構成しているプラグコネクタ（第１コネクタ）１、及びリセプタクルコネクタ（第２コネクタ）２の両コネクタは、細長状に形成された絶縁部材からなる本体ハウジング１１，２１をそれぞれ備えている。それら絶縁性の本体ハウジング１１，２１には、当該本体ハウジング１１，２１の長手方向（図７の紙面垂直方向）に沿って多数の導電コンタクト（導電端子）１２，２２が適宜のピッチ間隔で多極状をなすように配列されている。
【００２６】
また、これら両コネクタ１，２のうち、プラグコネクタ（第１コネクタ）１における後方側の端縁部（以下、後端縁部という。）には、多極状に並列するように配列された複数本の同軸ケーブルＳＣの端末部分が連結されている。その同軸ケーブルＳＣの端末部分には、被覆材が皮剥きされることによってケーブル中心導体（信号線）ＳＣａ及びケーブル外部導体（シールド線）ＳＣｂが同軸状をなすように露出されており、当該同軸ケーブルＳＣの中心軸線に沿うようにして配置されたケーブル中心導体ＳＣａが、後述する信号伝送用の導電コンタクト（導電端子）に接続されることによって信号回路が構成されるようになっている。このケーブル中心導体ＳＣａに関する接続構造については後段において詳細に説明する。
【００２７】
また、ケーブル中心導体ＳＣａの外周側を取り囲むように配置されたケーブル外部導体ＳＣｂは、グランド部材を構成している上部グランドバーＧＵと下部グランドバーＧＤとの間において上下に挟持されるように配置されており、これらのグランドバーＧＵ，ＧＤが半田付けやカシメや圧接等により接続されることによって、グランド回路が構成されるようになっている。このときの上部グランドバーＧＵ及び下部グランドバーＧＤは、多極配列方向に沿って長尺状に延在する細長の帯板状部材から形成されており、上述した同軸ケーブルＳＣの多極配列されたケーブル外部導体（シールド線）ＳＣｂの上下各面に沿うように載置された状態で長尺状の半田材等を用いて一括接続されている。また、これらの両グランドバーＧＵ，ＧＤは、後述する導電性シェル等を介してグランド接続される構成になされている。
【００２８】
［本体ハウジング及び導電コンタクト］
一方、上述したプラグコネクタ（第１コネクタ）１及びリセプタクルコネクタ（第２コネクタ）２の両コネクタは、細長状に形成された絶縁部材からなる本体ハウジング１１，２１をそれぞれ備えている。それら絶縁性の本体ハウジング１１，２１には、コネクタ長手方向（図７の紙面垂直方向）に沿って多数の導電コンタクト（導電端子）１２，２２が適宜のピッチ間隔で多極状をなすように配列されている。これら複数体の導電コンタクト１２，２２の各々は、上述した多極配列方向（コネクタ長手方向）に隣接するものどうしが略同一の材質によって略同一の形状をなすように形成されており、本体ハウジング１１，２１に対してインサート成形または圧入によって埋設された状態にて配置されている。
【００２９】
そして、プラグコネクタ（第１コネクタ）１に設けられた導電コンタクト１２に、上述した同軸ケーブルＳＣのケーブル中心導体ＳＣａが半田接続された状態で、当該プラグコネクタ１の導電コンタクト１２が、リセプタクルコネクタ（第２コネクタ）２に設けられた導電コンタクト２２に弾性的に接触されることによって信号伝送回路が構成されるようになっている。なお、これらの導電コンタクト１２，２２は、グランド接続用として構成することも可能である。
【００３０】
ここで、上述した両コネクタ１，２の各本体ハウジング１１，２１のうち、プラグコネクタ（第１コネクタ）１側に設けられた本体ハウジング１１は、当該プラグコネクタ１の内部側に配置された本体支持部１１ａと、その本体支持部１１ａから前方側に向かって延出する嵌合突部１１ｂとを一体的に備えており、それら本体支持部１１ａから嵌合突部１１ｂにかけての上表面に沿って、上述した導電コンタクト（導電端子）１２が略水平に延在するように配置されている。その導電コンタクト１２の後方側部分が配置されている本体支持部１１ａの上表面には、上述した同軸ケーブルＳＣとの接続構成部分が配置されていて、当該本体支持部１１ａ上に配置された導電コンタクト１２の後方側延在部分に、同軸ケーブルＳＣのケーブル中心導体（信号線）ＳＣａが上方側から載置するように当接された状態で半田接合されている。この複数体のケーブル中心導体ＳＣａと導電コンタクト１２との半田接合は一括的に行われる。
【００３１】
また、本体ハウジング１１の前端側に設けられた嵌合突部１１ｂの上表面には、導電コンタクト１２の前方側部分を構成している端子電極部１２ａが、適宜のピッチをもって多極状をなすように配置されている。この導電コンタクト１２の前方側延在部分を構成している端子電極部１２ａは、リセプタクルコネクタ（第２コネクタ）２側に対して電気的に接触される。
【００３２】
また、リセプタクルコネクタ（第２コネクタ）２の本体ハウジング２１に装着された導電コンタクト（導電端子）２２は、その後端部分（図７の左端部分）に側面略逆Ｌ字状をなす半田接続部２２ａが設けられている。この半田接続部２２ａは、実際の使用時に前述した主印刷配線基板Ｂ上の信号導電路又はグランド導電路に載置されてから一括的に半田接合される。
【００３３】
本実施形態における導電コンタクト（導電端子）２２は、上述した後端側の半田接続部２２ａから略垂直上方に立ち上げられており、その立ち上がり上端部から前方側（図７の右方側）に向かって片持ち状に延在していて、当該導電コンタクト２２の前方側先端部分には下方側に向かって逆山形状に張り出す接点凸部２２ｂが設けられている。この導電コンタクト２２に設けられた接点凸部２２ｂの下端側頂部は、前述したようにプラグコネクタ（第１コネクタ）１がリセプタクルコネクタ（第２コネクタ）２に嵌合されたときに、プラグコネクタ１側の導電コンタクト１２の端子電極部１２ａに対してバネ弾性的に接触されるように構成されている。このような接触関係によって前記両接点部１２ａ，２２ｂどうしの電気的な接続が行われるようになっている。
【００３４】
［第１コネクタの導電性シェル］
一方、プラグコネクタ（第１コネクタ）１及びリセプタクルコネクタ（第２コネクタ）２に設けられた各本体ハウジング１１，２１の上下両表面には、薄板状金属部材を適宜の形状に折曲形成した導電性シェル１３及び２３によりそれぞれ覆われている。これらの導電性シェル１３，２３は、各コネクタ１，２の内部に形成される信号伝送回路及びグランド回路を覆うことによって電磁遮蔽性（シールド性）を持たせる部材として装着されたものであるが、グランド回路の一部を構成する部材でもある。
【００３５】
このとき、プラグコネクタ（第１コネクタ）１側に設けられた導電性シェル１３の下半側部分は、インサート成形により本体ハウジング１１と一体的に成形されているが、当該導電性シェル１３の上半側部分は、図４のように同軸ケーブルＳＣに対して両グランドバー（グランド部材）ＧＵ，ＧＤが半田接合された後に本体ハウジング１１に対して上方側から被せるようにして装着されている。この導電性シェル１３の上面側には、多極配列方向であるコネクタ長手方向に沿って複数体のグランド接続舌片１３ａが切欠き形成されている。それらの各グランド接続舌片１３ａは、片持ちの板バネ状をなすようにして斜め下方側に向かって切り起こされており、前述した上部グランドバーＧＵの上面側に対して半田接合又は弾性接触されている。
【００３６】
ここで、本実施形態にかかるプラグコネクタ１（第１コネクタ）は、前述したように相手コネクタとしてのリセプタクルコネクタ（第２コネクタ）２が実装された主印刷配線基板Ｂの表面上に沿って移動されることにより嵌合される構成になされているが、当該プラグコネクタ１に装着された導電性シェル１３の底面側後端部分には、前記主印刷配線基板Ｂの表面上に対して滑動可能に接触する後方支持部１３ｃが複数箇所にわたって設けられている。この後方支持部１３ｃは、プラグコネクタ１の後端部分を当該後方支持部１３ｃの高さ分だけ上方に持ち上げる機能を有している。
【００３７】
すなわち、上述したリセプタクルコネクタ（第２コネクタ）２に設けられた導電性シェル２３の内部側底面上に、前記プラグコネクタ（第１コネクタ）１の嵌合突部１１ｂの下面が接触した際に、そのプラグコネクタ１の後方支持部１３ｃが主印刷配線基板Ｂの表面上に滑動可能に接触し、それによって当該プラグコネクタ１の全体が主印刷配線基板Ｂの表面に沿って略水平に維持される構成になされている。本実施形態にかかる後方支持部１３ｃは、例えば当該導電性シェル１３を構成している金属板を上方側から反対側の下方側に向かって窪ますことによって底面部から凸状をなすようにした、いわゆるディンプル形状として形成することが可能である。
【００３８】
［第２コネクタの導電性シェル］
これに対して、相手コネクタであるリセプタクルコネクタ（第２コネクタ）２に設けられた導電性シェル２３には、コネクタ長手方向の両端部分及び後端部分の各々に、外方側に向かって突出するように折り曲げ形成されたホールドダウン２３ａがそれぞれ設けられている。それらの各ホールドダウン２３ａは、前記主印刷配線基板Ｂ上に形成されたグランド導電路（図示省略）に対して半田接合され、それによってグランド回路の電気的な接続が行われるとともに、リセプタクルコネクタ２の全体が強固に固定されるようになっている。
【００３９】
［嵌合保持部材］
次に、プラグコネクタ（第１コネクタ）１がリセプタクルコネクタ（第２コネクタ）２に嵌合された両コネクタ１，２の嵌合状態は、プラグコネクタ１に嵌合保持部材として設けられた嵌合回動アーム１４によって維持されるように構成されているとともに、リセプタクルコネクタ２に嵌合したプラグコネクタ１をリセプタクルコネクタ２から抜去する際に、その嵌合回動アーム１４を引っ張ることで抜去できるように構成されている。
【００４０】
すなわち、その嵌合回動アーム（嵌合保持部材）１４は、上述したプラグコネクタ１の導電性シェル１３に回動可能に取り付けられたものであって、当該嵌合回動アーム１４のコネクタ長手方向両端部分に設けられた回動軸部１４ａ，１４ａが、前記導電性シェル１３の後端部分におけるコネクタ長手方向両端部分に設けられた軸受け部１３ｄ，１３ｄに遊嵌状態で回動可能に挿入されている。この嵌合回動アーム１４に設けられた一対の回動軸部１４ａ，１４ａは、横断面が略矩形状をなすように形成されており、当該各回動軸部１４ａの外周表面を構成しているいずれかの平坦面に対して、前記軸受け部１３ｄに設けられたバネ規制部材１３ｅの付勢力が付与されるように構成されており、そのバネ規制部材１３ｅの付勢力によって、後述する「嵌合開放位置」及び「嵌合作用位置」に前記回動軸部１４ａが軽保持される構成になされている。
【００４１】
また、上述した回動軸部１４ａにおけるコネクタ長手方向の外端部分からは、連結腕部１４ｂが、回動半径方向にほぼ沿うようにして延出しており、その連結腕部１４ｂの延出端部分である回動側の先端部分どうしが、コネクタ長手方向に沿って略直線状に延在する回動操作部１４ｃにより一体的に連結されている。そして、その回動操作部１４ｃの一部を作業者が把持して適宜の回動力を付与することによって、前記嵌合回動アーム１４の全体が、図２に示された「嵌合開放位置」と、図３に示された「嵌合作用位置」との間で回動されるようになっている。
【００４２】
このとき、リセプタクルコネクタ（第２コネクタ）２に設けられた導電性シェル２３には、「嵌合作用位置」に回動された嵌合回動アーム（嵌合保持部材）１４の連結腕部１４ｂが軽嵌合されるロック部２３ｂが、コネクタ長手方向の外方に張り出すように設けられている。そして、上述したようにプラグコネクタ（第１コネクタ）１がリセプタクルコネクタ（第２コネクタ）２に嵌合された状態で、嵌合回動アーム１４が「嵌合作用位置」の近傍まで回動されてくると、その嵌合回動アーム１４に設けられた連結腕部１４ｂが、前記ロック部２３ｂの外方張り出し部を乗り越えるようにして回動されることとなる。そのようにして嵌合回動アーム１４の連結腕部１４ｂがロック部２３ｂを乗り越えた直後に、前記ロック部２３ｂが嵌合回動アーム１４の連結腕部１４ｂの上面側に対して弾性的に圧接し、それによって当該嵌合回動アーム１４の全体が「嵌合作用位置」に弾性的に保持されるようになっている。このように、プラグコネクタ（第１コネクタ）１がリセプタクルコネクタ（第２コネクタ）２に嵌合された状態で、嵌合回動アーム１４を「嵌合開放位置」から「嵌合作用位置」まで回動させれば、両コネクタ１，２どうしが分離することなく嵌合状態に保持される構成になされている。
【００４３】
さらに、上述した嵌合回動アーム（嵌合保持部材）１４の回動操作部１４ｃには、板状部材からなる導電性カバー部１４ｄが一体的に設けられている。この導電性カバー部１４ｄは、前記回動操作部１４ｃの内周側端縁部から回動半径内方側（図６右方側）に向かって略平板状に延出するように設けられている。そして、特に図３に示されているように、両コネクタ１，２が嵌合された状態において嵌合回動アーム１４が「嵌合作用位置」まで回動されたときには、その導電性カバー部１４ｄによって、リセプタクルコネクタ（第２コネクタ）２と主配線基板Ｂとの接続部位、つまり上述した半田接続部２２ａが上方側から覆われる構成になされている。このように導電性カバー部１４ｄは、半田接続部２２ａの段差形状に沿った形状になされているとともに、コネクタ長手方向における幅寸法が、半田接続部２２ａの配置幅に相当する長さに設定されている。
【００４４】
また、上述したように導電性カバー部１４ｄは、プラグコネクタ（第１コネクタ）１に設けられた構成になされているが、特に図５に示されているように当該プラグコネクタ１が、相手コネクタとしてのリセプタクルコネクタ（第２コネクタ）２に嵌合されていない単独の状態で、嵌合回動アーム（嵌合保持部材）１４が「嵌合作用位置」まで回動されたときには、当該嵌合回動アーム１４の導電性カバー部１４ｄが、導電コンタクト（導電端子）１２の端子電極部１２ａの略全体を上方側から覆う構成になされている。より具体的には、その導電性カバー部１４ｄを構成している平板状部材において前記回動操作部１４ｃの内周側端縁部から回動半径内方側に延在している内端縁部が、上述した同軸ケーブルＳＣのケーブル中心導体ＳＣａの先端位置近傍に配置される構成になされており、当該導電性カバー部１４ｄによって導電コンタクト１２の端子電極部１２ａが覆われるようになっている。
【００４５】
一方、その導電性カバー部１４ｄは、嵌合回動アーム１４が「嵌合作用位置」まで回動された際に、前述した導電性シェル１３の上面側に設けられた前記グランド接続舌片１３ａについては覆うことのない構成になされている。すなわち、上述した導電性カバー部１４ｄの回動半径内方側の内端縁部は、グランド接続舌片１３ａの手前に相当する位置まで延出するように形成されている。そして、例えば図５に示されているように、本体ハウジング１１に、上下両グランドバーＧＵ，ＧＤが接続された同軸ケーブルＳＣ、嵌合回動アーム１４及び導電性シェル１３が装着された状態で、嵌合回動アーム１４が「嵌合作用位置」に回動されると、当該導電性カバー部１４ｄによって導電コンタクト（導電端子）１２の端子電極部１２ａが上方側から覆われる一方、グランド接続舌片１３ａについては覆うことなく露出した状態のままになされる。これによって、グランド接続舌片１３ａの上部グランドバーＧＵに対する半田接合作業が、導電性カバー部１４ｄに邪魔されることなく良好に行われる。また、そのグランド接続舌片１３ａの上部グランドバーＧＵに対する半田接続作業時には、導電コンタクト１２の端子電極部１２ａに対して、飛散した半田材等の付着が導電性カバー部１４ｄにより防止されるようになっている。
【００４６】
なお、本実施形態では、特に図３及び図７に示されているように、プラグコネクタ（第１コネクタ）１とリセプタクルコネクタ（第２コネクタ）２とが嵌合された際に、両者の導電シェル１２，２３の開口縁部同士が上下に重なり合うように嵌合される構成になされているが、その両導電性シェル１２，２３の重合嵌合部を、上述した導電性カバー部１４ｄが覆う構成になされている。より具体的には、前記導電性カバー部１４ｄは、図３及び図７に示すように、プラグコネクタ１とリセプタクルコネクタ２とが嵌合された状態において、嵌合回動アーム１４が「嵌合作用位置」まで回動されたときに、プラグコネクタ１の導電性シェル１３とリセプタクルコネクタ２の導電性シェル２３との重合接合部を上方側から覆う構成となされると好ましい。すなわち、前記導電性カバー部１４ｄの回動半径内方側の内端縁部が、プラグコネクタ１とリセプタクルコネクタ２とが嵌合された状態において、プラグコネクタ１の導電性シェル１３とリセプタクルコネクタ２の導電性シェル２３とのコネクタ上側の重合接合部まで延出するように形成されている。このような構成とすれば、導電性シェル１２，２３同士の重合接合箇所に対して、より良好な電磁遮蔽（シールド）機能が得られる。
【００４７】
このような構成を備えた本発明にかかる第１の実施形態によれば、両コネクタ１，２の嵌合後に、プラグコネクタ（第１コネクタ）１に設けられた嵌合回動アーム（嵌合保持部材）１４を「嵌合開放位置」から「嵌合作用位置」まで回動することによって、リセプタクルコネクタ（第２コネクタ）２に設けられた導電コンタクト（導電端子）２２と主配線基板Ｂとの接続部位である半田接続部２２ａが、導電性カバー部１４ｄにより上方側から覆われるようになっている。従って、両コネクタ１，２の嵌合時に嵌合回動アーム１４を回動する作業と同時に、半田接続部（接続部位）２２ａに対する電磁遮蔽（シールド）が行われることとなり、従来のように電磁遮蔽（シールド）のための製造工程数を増大させることがない。
【００４８】
また、プラグコネクタ（第１コネクタ）１の嵌合回動アーム（嵌合保持部材）１４を「嵌合作用位置」まで回動するまでは、リセプタクルコネクタ（第２コネクタ）２の導電コンタクト２２と主配線基板Ｂとの接続部位である半田接続部２２ａが、導電性カバー部１４ｄにより覆われることがないため、当該接続部位における接続状態等の確認が、導電性カバー部１４ｄに邪魔されることなく良好に行われる。
【００４９】
さらに、本実施形態によれば、プラグコネクタ（第１コネクタ）１を相手コネクタであるリセプタクルコネクタ（第２コネクタ）２に嵌合する前に、プラグコネクタ１に嵌合保持部材として設けられた嵌合回動アーム（嵌合保持部材）１４を、「嵌合開放位置」から「嵌合作用位置」まで回動することによって、当該プラグコネクタ１に設けられた導電コンタクト１２のうちの端子電極部１２ａが導電性カバー部１４ｄにより覆われて保護状態になされる。そのため、当該端子電極部１２ａに対して半田材などの異物の付着が防止されることとなり、良好な電気接続が確保されるようになっている。
【００５０】
次に、上述した第１の実施形態と同一部材に対して同一の符号を付した図８〜図１０に示されている第２の実施形態にかかる嵌合保持部材として設けられた嵌合回動アーム（嵌合保持部材）１４は、連結腕部１４ｂ，１４ｂを一体的に連結した導電性カバー部１４ｄ’を有するものであって、該導電性カバー部１４ｄ’には、嵌合回動アーム１４の回動半径外方側に回動操作部１４ｃが形成されて、プラグコネクタ（第１コネクタ）１の全体を導電性カバー部１４ｄ’が覆うように拡大された構造になされている。
【００５１】
本実施形態にかかる導電性カバー部１４ｄ’は、嵌合保持部材としての嵌合回動アーム１４が「嵌合作用位置」まで回動されたときに、当該プラグコネクタ１の上面及び両側面を覆うように構成されている。一方、この導電性カバー部１４ｄ’には、上述した第１の実施形態の導電性カバー部１４ｄと同様、グランド接続舌片１３ａについては覆うことのないようにグランド接続舌片１３ａの手前まで延出する構成になされている。
【００５２】
このような構成を備えた本実施形態によれば、導電性カバー部１４ｄ’によりコネクタ全体が覆われることとなるから、より良好な電磁遮蔽（シールド）機能が得られるとともに、導電性カバー部１４ｄ’によって連結腕部１４ｂ，１４ｂを一体的に連結して構成され、嵌合回動アーム（嵌合保持部材）１４の剛性が高められる。
【００５３】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５４】
例えば、上述した実施形態では、嵌合保持部材としての嵌合回動アーム１４が、第１コネクタであるプラグコネクタ１に設けられているが、第２コネクタであるリセプタクルコネクタ２に設けても良い。
【００５５】
また上述した実施形態では、導電性カバー部が、導電コンタクトの半田接続部を覆うように構成されているが、主配線基板との接続部位であれば他の部位を覆う構成とすることもできる。
【００５６】
さらに上述した実施形態は、水平嵌合型の電気コネクタに本実施形態を適用したものであるが、垂直嵌合型の電気コネクタに対しても同様に適用することができる。
【００５７】
さらにまた本発明は、上述した実施形態のような同軸ケーブル用コネクタに限定されることはなく、絶縁ケーブル用コネクタや、同軸ケーブルと絶縁ケーブルとが複数混合したタイプの電気コネクタや、フレキシブル配線基板等が連結される電気コネクタ、プリント基板同士を接続する基板対基板コネクタ等についても同様に適用することが可能である。
【産業上の利用可能性】
【００５８】
以上のように本実施形態は、各種電気機器に使用される多種多様な電気コネクタに対して広く適用することが可能である。
【符号の説明】
【００５９】
１  プラグコネクタ（第１コネクタ）
１１  本体ハウジング
１１ａ  本体支持部
１１ｂ  嵌合突部
１２  導電コンタクト（導電端子）
１２ａ  端子電極部
１３  導電性シェル
１３ａ  グランド接続舌片
１３ｃ  後方支持部
１３ｄ  軸受け部
１３ｅ  バネ規制部材
１４  嵌合回動アーム（嵌合保持部材）
１４ａ  回動軸部
１４ｂ  連結腕部
１４ｃ  回動操作部
１４ｄ  導電性カバー部
１４ｄ’  導電性カバー部
２  リセプタクルコネクタ（第２コネクタ）
２１  本体ハウジング
２２  導電コンタクト（導電端子）
２２ａ  半田接続部
２２ｂ  接点凸部
２３  導電性シェル
２３ａ  ホールドダウン
２３ｂ  ロック部
Ｂ  主印刷配線基板
ＳＣ  同軸ケーブル
ＳＣａ  ケーブル中心導体（信号線）
ＳＣｂ  ケーブル外部導体（シールド線）
ＧＵ  上部グランドバー
ＧＤ  下部グランドバー
【図１】
0005516040.tif 000002
【図２】
0005516040.tif 000003
【図３】
0005516040.tif 000004
【図４】
0005516040.tif 000005
【図５】
0005516040.tif 000006
【図６】
0005516040.tif 000007
【図７】
0005516040.tif 000008
【図８】
0005516040.tif 000009
【図９】
0005516040.tif 000010
【図１０】
0005516040.tif 000011